(57)【要約】【課題】部材の増加や構造の複雑化をせずに、取り付け操作簡単なＵＳＢメモリーアダプタ等のＵＳＢ接続機器を筆記具に取り付ける取付構造を提供する。【解決手段】筆記具（１）の後端に、ＵＳＢ接続機器（１００）のＵＳＢ接続端子（１０２）を挿入するＵＳＢ端子スロット（５１）を設けた。ＵＳＢ端子スロット（５１）には、ＵＳＢ接続端子（１０２）に設けられた係止孔（１０２ａ）と係止する係止凸部（５１ａ）が設けられている。係止孔（１０２ａ）は、ＵＳＢ規格（Ａタイプ）によりあけられている孔であるので、筆記具取付に際して格別の構造や、複雑な取り付け操作の必要がない。【選択図】  図２
2011005772.tif 000002
【特許請求の範囲】
【請求項１】
軸筒と、
半導体メモリーを搭載可能に形成されるとともに、ＵＳＢ接続端子を有し、前記ＵＳＢ接続端子には係止孔が設けられたＵＳＢ接続機器の、前記係止孔と着脱自在に係合可能な係止凸部を有し、前記ＵＳＢ接続端子が挿入されるとともに、前記軸筒後端に形成されたＵＳＢ端子スロットと、
を有することを特徴とする筆記具。
【請求項２】
前記係止凸部の下部には空間部が設けられていることを特徴とする請求項１記載の筆記具。
【請求項３】
前記係止凸部は、対向して設けられるとともに、一方の係止凸部の下部にのみ前記空間部が設けられていることを特徴とする請求項２記載の筆記具。
【請求項４】
前記係止凸部は同一平面上に２個設けられるとともに、２個の前記係止凸部間の下部には前記空間部を仕切る壁部が設けられていることを特徴とする請求項２又は３記載の筆記具。
【請求項５】
前記軸筒内に設けられた複数の筆記芯と、
前記筆記芯の後端に設けられたスライド駒と、
前記スライド駒を軸筒の長手方向に案内するガイド部材と、
前記スライド駒を後方に付勢する付勢手段と、
前記軸筒後端に回動自在に設けられ、前方部位には、軸筒内部に納められ、前記スライド駒と摺接し、回動操作により前記スライド駒を介して前記筆記芯を順次繰出可能に形成されるカム筒部が設けられ、後方部位は、前記軸筒の後端から突出するとともに、前記ＵＳＢ端子スロットが設けられた操作部を有する回動カム部材と、
を有することを特徴とする請求項１〜４の何れか一項記載の筆記具。
【請求項６】
前記回動カム部材の前記操作部には、後方へ向けて、平板状突出部が対向して設けられたことを特徴とする請求項５記載の筆記具。
【請求項７】
前記回動カム部材の前記操作部には、クリップが設けられたことを特徴とする請求項５又は６記載の筆記具。
【請求項８】
前記ＵＳＢ接続機器が装着されたことを特徴とする請求項１〜７の何れか一項記載の筆記具。
【発明の詳細な説明】
【技術分野】
【０００１】
本発明は、ＵＳＢ接続端子を有するＵＳＢ接続機器を搭載可能な筆記具に関する。
【背景技術】
【０００２】
従来から、ＵＳＢ接続端子を有する、いわゆるＵＳＢメモリを搭載可能に構成された筆記具が開示されている。特許文献１には、筆記具に着脱自在に取り付けられるＵＳＢメモリーの取付構造が開示されている。
【０００３】
特許文献１で開示される筆記具においては、ＵＳＢメモリが装着される筒状カートリッジ（９）が、筆記具（１）の後部外筒（２）の内部に係止される。筒状カートリッジ（９）の係止は、後部外筒（２）内周面に形成されたカートリッジガイド部（２５）に筒状カートリッジ（９）に形成される被ガイド部（９３）がガイドされつつ筒状カートリッジ（９）が挿入される。そして、後部外筒（２）に形成されたカートリッジ係止部（２４）と筒状カートリッジ（９）に形成される凹部（９１ｂ）が係合することにより係止される。
【０００４】
さらに、ＵＳＢメモリ（１０）はメモリ本体（１１）と尾栓（１２）で構成される。ＵＳＢメモリ（１０）はメモリ本体（１１）の一対の側端部を筒状カートリッジ（９）に形成されたスリット状開口（９２ｃ）にガイドされつつ挿入される。そして、尾栓（１２）に形成された被係止凸部（１２ｄ）が、尾栓（１２）の所定量の回動操作により、筒状カートリッジ（９）に形成された嵌合部（９２ｅ）と嵌合する。
【０００５】
また、特許文献１に開示される別形態の実施例においては、後部外筒（１０６）のメモリ収容孔（１０６ｃ）に、ＵＳＢメモリ（１１２）の尾栓（１１４）が直接係止される構造が開示されている。詳細には、尾栓（１１４）の突出部（１１４ｂ）に形成された被係止凹部（１１４ｄ）がメモリ収容孔（１０６ｃ）のメモリ係止部（１０６ｅ）に係止されるよう構成されている。
【先行技術文献】
【特許文献】
【０００６】
【特許文献１】特開２００５−３１９６６９
【発明の概要】
【発明が解決しようとする課題】
【０００７】
上述のＵＳＢメモリーの筆記具への係止構造においては、後部外筒（筆記具の軸筒後部）への装着のため、後部外筒内部と尾栓に係合関係を設けなければならず、構造が複雑化する。特に、後部外筒に、さらに筒状カートリッジを設ける構造においては、ＵＳＢメモリーを直接後部外筒に取り付ける場合に比べて、部材が増えるだけでなく、筒状カートリッジを案内するガイド部や、筒状カートリッジを係止させる構造などさらに設ける必要がある。そして、ＵＳＢメモリーの取り付けに関しても、筆記具後部に挿入後、尾栓を回転操作させて係止を完了させる等複雑である。
【課題を解決するための手段】
【０００８】
本発明は、軸筒と、半導体メモリーを搭載可能に形成されるとともに、ＵＳＢ接続端子を有し、前記ＵＳＢ接続端子には係止孔が設けられたＵＳＢ接続機器の、前記係止孔と着脱自在に係合可能な係止凸部を有し、前記ＵＳＢ接続端子が挿入されるとともに、前記軸筒後端に形成されたＵＳＢ端子スロットと、を有することを特徴とする筆記具、である。
【発明の効果】
【０００９】
本発明によれば、パーソナルコンピューター等の情報機器に接続するＵＳＢ接続端子を有する半導体メモリを搭載可能なＵＳＢ接続機器（いわゆるＵＳＢメモリーや、種々のメモリーカードを適宜選択して搭載可能なＵＳＢ接続端子を有するメモリーカードアダプター等）を、直接筆記具の後端部に取り付け、取り外しが可能である。よって、ＵＳＢ接続機器をパーソナルコンピューターに接続して使用する時であっても、筆記具を使用することができる。しかも、ＵＳＢ規格によりＵＳＢ接続端子に必ず設けられる係止孔を利用して取り付け構造が形成されるので、特別複雑な構成を採用する必要がない。さらに、ＵＳＢ接続機器の筆記具への取り付けは、ＵＳＢ端子スロットに挿入するだけでよく、この操作はパーソナルコンピューター等への接続と同一の操作となり、直感的にも理解でき、操作簡単である。そのうえさらに、既にＵＳＢ規格により設けられている係止孔との嵌合なので、挿入の感覚も同一のものとすることができる。
【図面の簡単な説明】
【００１０】
【図１】本発明に係る筆記具の全体を示す正面図である。
【図２】（ａ）図１の縦断面図であり、（ｂ）は（ａ）の要部拡大縦断面図である。
【図３】図２（ａ）の（ＩＩＩ）−（ＩＩＩ）線断面図である。
【図４】ＵＳＢ接続機器の一例を示す図である。
【発明を実施するための形態】
【００１１】
以下、図面（図１〜４）を参照しつつ本発明の実施例について説明する。なお、以下の説明において、前方向は、ペン先側の方向を指す。
【実施例１】
【００１２】
図１において、１は本発明に係る筆記具である。軸筒本体２は略円筒状に形成されている。軸筒本体２の前方にはグリップ３及び先口４が装着されている。グリップ３は軟質材料等により形成することで、筆記時の把持感覚を向上させることができる。これら軸筒本体２，グリップ３，先口４により軸筒が形成されている。なお、軸筒本体２，グリップ３，先口４を別部品ではなく一体的にして軸筒を形成しても良い。
【００１３】
さらに、軸筒本体２の後端には、回動カム部材５が回動自在に設けられている。回動カム部材５には、ＵＳＢ接続機器１００が装着されている。また、回動カム部材５には、開閉機能付きのクリップ６が設けられている。
【００１４】
図２（ａ）において、軸筒本体２，グリップ３，先口４は、筆記具内部に納められた円筒状の前軸７及び継手部材８により連結されている。前軸７は円筒状に形成されており、継手部材８は、円筒形状にフランジ部が設けられるとともに、円筒形状部の外周には雄螺子部が形成されている。前軸７の前端は、先口４の後部内周面と圧入嵌合されている。一方、前軸７の後端は、継手部材８の内周面と圧入嵌合されている。そして、継手部材８と先口４間の前軸１１の外周に、グリップ３が装着されている。
【００１５】
一方、継手部材８の後方側は、軸筒本体２の前端部内周面に形成される雌螺子部と螺合する。軸筒本体２の前端と、継手部材８のフランジ部との間には、リング部材９が設けられる。リング部材９は、長手方向を短く形成された円筒形状部分と内周面に環状に突出する部位で構成される。軸筒本体２の前端と継手部材８のフランジ部とにより、リング部材９の環状に突出する部位が狭持固定される。円筒形状部分は、グリップ３の後端部位の一部が覆いかぶさるように形成されている。リング部材９は、主に装飾目的で設けられるものである。
【００１６】
本実施例では、軸筒本体２は樹脂材料の射出成形により形成され、先口４，前軸７，継手部材８は真鍮等の金属部材により形成され、グリップ３はシリコン材料の押し出し成形により形成されている。
【００１７】
なお、筆記具１の軸筒等（軸筒本体２，グリップ３，先口４，前軸７，継手部材８，リング部材９）については、既に公知の技術であり、特開２００４−９０２６９号等に開示されている。
【００１８】
筆記具１の内部には、筆記芯であるボールペンリフィール１０が３本設けられている。それぞれのボールペンリフィール１０の後端には、スライド駒１１が取り付けられている。スライド駒１１は、前方を円筒状に形成され、ボールペンリフィール１０の後端部位の一部が着脱可能に圧入嵌合されている。さらに、軸筒本体２の内部には、スライド駒１１を筆記具１（軸筒本体２）の長手方向に案内するガイド部２ａが形成されている。ガイド部２ａの前方には３本のボールペンリフィール１０を仕切るデバイダー部２ａ１が設けられる。デバイダー部２ａ１とスライド駒１１の前端との間には、付勢手段であるコイルスプリング１２が弾発して設けられている。デバイダー部２ａ１は、軸筒本体２に対して固定されているので、スライド駒１１は後方へ付勢されている。
【００１９】
軸筒本体２の後端部には、回動カム部材５が回動可能に設けられている。回動カム部材５の前方部位は、全体を円筒状に形成されるとともに、端部に傾斜面５ａが形成されている。この傾斜面５ａと、スライド駒１１のフォロア部１１ａとが摺動可能に係合している。換言すれば、フォロア部１１ａは、傾斜面５ａに沿って摺動する。よって、回動カム部材５を回動操作することにより、スライド駒１１（フォロア部１１ａ）は傾斜面５ａに沿って相対的に移動する。そして、スライド駒１１は、ガイド部２ａにより筆記具１の長手方向にのみ案内されているので、一のボールペンリフィール１０のペン先が、先口４の開口から順次繰出されることとなる。
【００２０】
なお、以上のボールペンリフィール１０等の筆記芯の繰出し機構については、従来公知の技術であり、特開２００１−７１６７９号等に開示されている。
【００２１】
回動カム部材５（操作部５０）の外周面上には、クリップ６の支点６ａを受ける台座部５ｂが形成されている。台座部５ｂには孔部５ｂ１が設けられ、板バネ１３の一端が挿入固定され、他端をクリップ６に係止することにより、クリップ６が板バネ１３に狭持されるように構成される。これにより、クリップ６は、支点６ａを中心に開閉可能に操作することができる。
【００２２】
開閉可能に形成されたクリップ６の構成については、従来公知の技術であり、特開２００１−１４６０９４号等に開示されている。
【００２３】
一方、回動カム部材５の後方部位には、操作部５０が設けられている。操作部５０には、ＵＳＢ端子スロット５１が設けられている。このＵＳＢ端子スロット５１にはＵＳＢ接続機器１００が挿入されている。
【００２４】
本実施例におけるＵＳＢ接続機器１００は、図４に示すものであり、種々の容量のメモリーカード（半導体メモリー）（例えばマイクロＳＤカード等）を挿入して使用できる、いわゆるＵＳＢメモリーアダプタである。ＵＳＢ接続機器１００（ＵＳＢメモリーアダプタ）は、本体部１０１と、ＵＳＢ接続端子１０２により構成されている。本体部の一側面に設けられたスロット部１０１ａに図示しないメモリーカードを挿入し、他端のＵＳＢ接続端子１０２を同様に図示しないパーソナルコンピューター等のＵＳＢ接続口に接続することにより、外部記憶媒体（いわゆるＵＳＢメモリー）として使用できる。使用者の使用用途等に応じて種々の容量のメモリーカードを選択して、または携帯電話等に既に挿入されているメモリーカードの情報をパーソナルコンピューター等で読み込み・閲覧等したい場合に使用できる。
【００２５】
ＵＳＢ接続端子１０２及び、ＵＳＢ接続端子１０２に設けられる係止孔１０２ａは、ＵＳＢ規格（Ａタイプ）に基づいて形成されたものである。よって、本実施例にて例示したＵＳＢ接続機器１００以外のＵＳＢ接続機器（ＵＳＢメモリー等）においても、ＵＳＢ接続端子１０２の大きさ等は同一に形成されるものである。ＵＳＢ規格に基づいて、係止孔１０２ａは、図示する一面及び図示しない反対側の面のそれぞれに、２箇所ずつ（合計４箇所）に設けられている。
【００２６】
なお、本体部１０１の対向する側面１０１ｂは、凹状の円弧状に形成されている。これにより、使用者の指（親指と人差し指）でつまみやすい構成となっている。
【００２７】
一方、ＵＳＢ端子スロット５１内には、前述のＵＳＢ接続端子１０２に設けられた４箇所の係止孔１０２ａと係合可能にそれぞれに対応した係止凸部５１ａが設けられている（図２（ｂ）及び図３参照）。係止凸部５１ａの筆記具１における長手方向の両傾斜側面５１ａ１は、傾斜角が鋭角となるよう設定されている。これにより、係止孔１０２ａとの係合がスムーズに行われるとともに、微小に形成される係止凸部５１ａをＵＳＢ接続端子１０２の前端で削り取ってしまうこともない。さらに、ＵＳＢ端子スロット５１の横幅Ｗ及び高さＴ（図３参照）は、対応するＵＳＢ接続端子１０２の各側面と近接又は接触するよう設定されている。よって、ＵＳＢ接続端子１０２がガイドされて挿入されるよう構成されているので、確実に係止孔１０２ａと係止凸部５１ａが係合される。
【００２８】
２組の係止凸部５１ａのうち、クリップ６と反対側に設けられた係止凸部５１ａの下方（筆記具１の外周方向）には、空間部５２が形成されている。この空間部５２は、操作部５０の両側面（ペン先側に向って左右の方向）から内部に向って孔状にあけられて形成されており、側面視長孔状に形成されている（図１参照）。そして、クリップ６と反対側に設けられた１組の係止凸部５１ａ間の下方（筆記具１の外周方向）（換言すれば、対向する空間部５２間）には、空間部５２を仕切る壁部５３が形成されている。
【００２９】
このように、空間部５２を設けることで、空間部５２の上方（筆記具１の中心側）（換言すればクリップ６と反対側）に設けられた係止凸部５１ａは、ＵＳＢ接続端子１０２が挿入された際に、ＵＳＢ接続端子１０２の一側面が係止凸部５１ａの上面に乗り上がることにより押圧されて、空間部５２側に押し込まれる。そして、係止凸部５１ａが係止孔１０２ａと係合すると、定常位置に復帰する。換言すれば、クリップ６と反対側の係止凸部５１ａは、クリップ６と反対側の係止凸部５１ａを支持する基部５１ａ２がヒンジ効果を発揮して、係止孔１０２ａと係合する。よって、係止凸部５１ａの傾斜面５１ａ１の作用効果も手伝って、挿入感触がより滑らかとなるばかりでなく、微小に形成される係止凸部５１ａをＵＳＢ接続端子１０２の前端で削り取ってしまう等の不具合を防止することができる。さらに、壁部５３により基部５１ａ２が支持されているので、ヒンジ効果をより顕著に発揮するよう基部５１ａ２は作用する。
【００３０】
ＵＳＢ規格（Ａタイプ）のレセプタクル（換言すれば、パーソナルコンピュータ等に設けられるＵＳＢ接続口）のシールドケースは、通常、導電性を有する銅合金製の金属板を板金加工して矩形筒状に形成される。そして、ＵＳＢ接続機器１００のプラグ（ＵＳＢ接続端子１０２）の係止孔１０２ａと係止する係止爪は、シールドケースの矩形筒状の長辺側の側面に、一端を固定して周囲を略三角形状に打ち抜き加工して形成される（図示せず）。しかし、ＵＳＢ接続機器１００を携帯しやすいようにすることを目的として筆記具に取り付けたい場合、レセプタクルに通常用いられる金属製のシールドケースは必要ない。そこで、本発明の構成を採用し、さらに筆記具で通常用いられる樹脂成形品によりＵＳＢ端子スロット５０を形成することにより、金属製のシールドケースを用いることなく、ＵＳＢ接続端子１０２の係止孔１０２ａ利用した係止構造を達成することができる。よって、従来技術のように、ＵＳＢ接続機器側に特別な構成をとることなく、また、筆記具側にも特殊かつ複雑な構造を採用すること無しに、ＵＳＢ接続機器を容易に形態可能な筆記具を提供することができる。しかも、ＵＳＢ接続機器を、パーソナルコンピューター等に設けられたＵＳＢ接続口に取り付けるのと同じ要領で筆記具に取り付けることができるので、着脱操作が直感的で容易である。
【００３１】
本実施例では、さらに、クリップ６側の２つの係止凸部５１ａの間に溝部５１ｂを設けた。これにより、何らかの不具合によりＵＳＢ接続機器１００が取り出し不能となった際、鍵状に形成したピン等を溝部５１ｂに挿入して、ＵＳＢ接続端子１０２の前端に引っ掛けて、強制的にＵＳＢ接続機器１００を取り出すことができる。
【００３２】
さらに、回動カム部材５の後方部位（ＵＳＢ端子スロット５１）と回動カム部材５の前方部位との間に、両者を仕切る仕切り壁５４を設けた。これにより、ボールペンリフィール１０から万が一、インク漏れが発生した場合においても、ＵＳＢ接続機器１００の汚損を防止することができる。さらに、前方部位側に凸状に形成（換言すれば、後方部位側は凹状に形成）することで、後方部位側の凹部に射出成形時のゲート位置を設けたり、または製品番号等の刻印等を設けることができる。
【００３３】
さらに、本実施例においては、ＵＳＢ端子スロット５１のスロット開口部矩形状長辺側に対向して略平板状に後方へ向けて平板状突出部５５が設けられている。平板状突出部５５間の距離は、ＵＳＢ接続機器１００の本体部１０１の厚みに合わせて、平板状突出部５５の対向する面が本体部１０１の側面と近接又は接触するように設定されている。よって、本体部１０１が平板状突出部５５間に配置されることにより、ＵＳＢ接続機器１００が本体部１０１でも支持されるので、より安定してＵＳＢ接続機器１００を取り付けることができる。さらに、平板状突出部５５間の側面（ペン先側を向いたときの左右の側面）は開口されているので、前述のＵＳＢ接続機器１００の本体部１０１の円弧状の側面１０１ｂを把持しやすくなり、ＵＳＢ接続機器１００の着脱の操作性がさらに向上することとなる。
なお、通常本体部１０１の厚みは、ＵＳＢ接続端子１０２の厚みより厚く形成されており、ＵＳＢ接続端子１０２との干渉の虞はない。
【００３４】
本発明においては、ＵＳＢ接続機器１００を取り付けるＵＳＢ端子スロット５１等を含む操作部５０と、スライド駒１１を前後方向にスライドさせる傾斜面５ａ等を含む前方部位を一体的に一部品で構成しているので、筆記具１の組立に際して組み立てやすく、製造コストを低減することができる。さらに、一体的な樹脂の射出成形により形成することができるので、意匠性を持たせることもできる。そのうえさらに、回動カム部材５（操作部５０）にクリップ６を設けているので、回動操作しやすい利点がある。特に、本実施例のようにクリップ６が台座５ｂに支持される開閉操作式のクリップ６の場合には、高さが高くなるので、より回動操作しやすいものとなる。
【００３５】
以上、本発明の実施例を詳細に説明したが、本発明はこれに限定されることなく、本発明の要旨を変更しない範囲で適宜変更することができる。
【００３６】
例えば、回動カム部材５の操作部５０のみを、筆記芯が１本のみ搭載される筆記具の後端に設ける等してもよい。
【００３７】
係止凸部５１ａの下方に設けた空間部５２は、クリップ６と反対側の係止凸部５１ａに設けたが、クリップ６側の係止凸部５１ａにも設けても良いし、クリップ６側のみ設けても良い。ただし、一方側の係止凸部５１ａにのみ空間部５２を設けることで、ヒンジ効果を発揮しやすく構成できる。
【００３８】
さらに、壁部５３を構成しないで、空間部５２を貫通孔としてもよい。この場合、基部５１ａ２の厚みを調整して最適なヒンジ効果を設定する。ただし、射出成形時のヒケ等の問題により、成形条件設定が難しくなる場合がある。
【符号の説明】
【００３９】
１    筆記具
２    軸筒本体
２ａ    ガイド部
２ａ１    デバイダー部
３    グリップ
４    先口
５    回動カム部材
５ａ    傾斜面
５ｂ    台座部
６    クリップ
６ａ    支点部
７    前軸
８    継手部材
９    リング部材
１０    ボールペンリフィール
１１    スライド駒
１１ａ    フォロア部
１２    コイルスプリング
１３    板バネ
５０    操作部
５１    ＵＳＢ端子スロット
５１ａ    係止凸部
５１ａ１    傾斜側面
５１ｂ    溝部
５２    空間部
５３    壁部
５４    仕切り壁
５５    平板状突出部
１００    ＵＳＢ接続機器
１０１    本体部
１０１ａ  スロット部
１０２    ＵＳＢ接続端子
１０２ａ    係止孔
【図１】
2011005772.tif 000003
【図２】
2011005772.tif 000004
【図３】
2011005772.tif 000005
【図４】
2011005772.tif 000006